(57)【要約】【課題】低コスト化の要求が増していく中で、更に高信頼性の要求も増してきている。特に簡易防水構造の要求が増している。この要求を両立させるために部品点数を増加させることなく簡易防水構造に対応させることが課題となっている。【解決手段】ケース３、カバー４を組み合わせ、基板１を内装する制御装置において、ケース３またはカバー４に相手側の内周側から嵌合するスナップフィット部３３、４１と外周側の嵌合用突起３４、４２が設置され、相手側に設置されている嵌合用穴３２、４３が外観上、視認できないように設置されている。この構成とすることで部品点数を増加させることなしに簡易防水構造を供給できる。【選択図】  図１
2018131118.tif 000002
【特許請求の範囲】
【請求項１】
自動車を制御するための電子回路を備える基板と、
前記電子回路と外部の機器とを接続するためのコネクタと、
前記基板が挿入された状態で固定されるケースと、
前記ケースの開口部に蓋をするように組付けられるカバーと、を備え、
前記ケースと前記カバーは、前記ケースに設けられる嵌合用穴と、前記カバーに設けられる嵌合用突起を備えるスナップフィット部の協働によるスナップフィットにより固定されている自動車用制御装置であって、
前記カバーは、前記スナップフィット部と対向する位置に穴塞ぎ用突出部を備え、
前記嵌合用突起は、前記穴塞ぎ用突出部に対してケース内側に位置している自動車用制御装置
【請求項２】
自動車を制御するための電子回路を備える基板と、
前記電子回路と外部の機器とを接続するためのコネクタと、
前記基板が挿入された状態で固定されるケースと、
前記ケースの開口部に蓋をするように組付けられるカバーと、を備え、
前記ケースと前記カバーは、前記カバーに設けられる嵌合用穴と、前記ケースに設けられる嵌合用突起を備えるスナップフィット部の協働によるスナップフィットにより固定されている自動車用制御装置であって、
前記ケースは、前記スナップフィット部と対向する位置に穴塞ぎ用突出部を備え、
前記嵌合用突起は、前記穴塞ぎ用突出部に対してケース内側に位置している自動車用制御装置
【請求項３】
前記穴塞ぎ用突出部により、前記嵌合用穴が視認できない状態とされている請求項１または２に記載の自動車用制御装置
【請求項４】
前記穴塞ぎ用突出部にも、前記嵌合用穴と嵌合する突起が形成されている請求項１乃至３の何れかに記載の自動車用制御装置
【請求項５】
前記穴塞ぎ用突出部は、前記嵌合穴とは別に形成された溝と嵌合する突起が形成される請求項１乃至４の何れかに記載の自動車用制御装置
【請求項６】
前記穴塞ぎ用突出部に形成された突起は、前記嵌合用突起よりも低く形成されている請求項４または５に記載の自動車用制御装置
【発明の詳細な説明】
【技術分野】
【０００１】
本発明は自動車用制御装置に関する。
【背景技術】
【０００２】
制御装置は、多くの種類が車両に搭載されるようになり、その取付けする配置が様々になってきている。また、この影響で万が一の被水した際に影響を受けないような配置ができない状況も発生してきている。この状況とそれに対応する要求に対し、制御装置側でできるだけ可能な範囲で様々な取り付け状態で被水時の簡易防水に対応するために、制御装置を構成しているケースとカバーからなる筐体を結合させるスナップフィット部に被水時の影響を受けにくい構造を採用しているのが一般的である。
【０００３】
制御装置のスナップフィット構造としては、特許文献１や特許文献２に記載された構造がある。
【先行技術文献】
【特許文献】
【０００４】
【特許文献１】特許５８９６１４６号
【発明の概要】
【発明が解決しようとする課題】
【０００５】
上記特許文献１制御装置内に貫通するような穴を設けず、ケースの外周側に設けられた突起に、更に外周側から覆いかぶさるように設置されるカバーからの受け部に設けられた穴が嵌合される形で形成される構造となっている。
【０００６】
この構造では、制御装置の取扱い時等で干渉、引っかかり等により、スナップフィット外れ、スナップフィット部破損となるリスクがある。
【０００７】
本発明は、制御装置取扱い時等でのスナップフィット破損等によるケース、カバーの結合外れを防止しつつ、簡易防水構造に対応可能な自動車用制御装置を提供するものである。
【課題を解決するための手段】
【０００８】
本発明は、基板を内装するために略四角柱で形成されているケースと、ケースに嵌合して蓋をするように設けられたカバーから構成されているものにおいて、ケースとカバーを結合するためのスナップフィットが設けられており、このスナップフィットはケース側に穴を設け、カバー側にその穴に係合するように爪部が設けられており、この爪部がケースの内周側からケースの穴部に係合されるように組み合わされ固定される構造となっている。更にカバーには、ケース内周側に係合される爪部とは別にケースの外周側からケースの穴部に覆いかぶさるように係合される爪部も設置されている。
この構造とすることで上記課題を解決させる。
【発明の効果】
【０００９】
本発明によれば、制御装置の取扱い等による影響でのケースとカバーを結合しているスナップフィット部の破損、外れを防止しつつ、係合用の穴もケース外周から塞ぐことが可能とできることから、信頼性の高い自動車用制御装置を構成できる。
【図面の簡単な説明】
【００１０】
【図１】実施例１における分解図並びに組付け図
【図２】実施例２における分解図並びに組付け図
【図３】実施例１における要部拡大断面図
【図４】実施例３における要部拡大断面図
【図５】実施例４における要部拡大断面図
【図６】実施例５における要部拡大断面図
【発明を実施するための形態】
【００１１】
以下、図面を参照して本発明の実施例を説明する。なお、各実施例は矛盾しない限り組み合わせられるものである。
【００１２】
[実施例１]
本発明の実施例１について図１と図３を用いて説明する。図１は本発明の実施例の構成を示す分解図及び外観図である。図示しない外部装置を電気的に制御するための回路を有する基板1は、外部との電気的な接続をするためのコネクタ２が搭載されている。また、コネクタ２及び基板１は、袋状に形成されたケース３に開口部３１からスライドさせて組み込まれる構成となっている。
【００１３】
基板１がケース３に組み付けられた後、基板１を覆うようにカバー４がケース３に組み付けられて固定されている。カバー４には、ケース３に嵌合、固定されるためのスナップフィット部４１が設けられている。スナップフィット部４１は、ケース３の内側に挿入される。そして、スナップフィット部４１に形成されたスナップフィット部の穴嵌合用突起４４が、ケース３に設けられたスナップフィット嵌合用穴４３に嵌合する。スナップフィット部の穴嵌合用突起４４は、ケース３の内周から外周に貫通するように設けられる。
【００１４】
更に、カバー４には、このケース３に設けられた穴３２を外周側から覆いかぶさり塞ぐように穴塞ぎ用の突出部４２が設けられている。
【００１５】
図３にスナップフィット嵌合部の構成を示す断面図である。カバー４のケース３内面側から嵌合されるスナップフィット部４１には、ケース３に設けられた穴３２に嵌合される突起部４４が設けられている。本構成は、内周側のスナップフィット部４１のみに設けられている構成となっている。
【００１６】
本実施例によれば、穴塞ぎ用の突出部４２は、スナップフィット部４１の穴嵌合用突起４４と対向する位置にあることから、組付け前における穴嵌合用突起４４の保護の役割を果たす。すなわち、組付け時における引っ掛かりを防止できる。また、スナップフィット部４１は、カバー４をケース３に組付けた際には、ケース３の内側に位置する構造となるので、制御装置の取り扱い時等においても保護される構造となる。そして、スナップフィット嵌合用穴３２は穴塞ぎ用の突出部４２に覆われることから、水の進入も抑制できる。カバー４にスナップフィット部４１と穴塞ぎ用突出部４２を設ける利点は、製造のしやすさが挙げられる。
【００１７】
[実施例２]
本発明の実施例２について図２を用いて説明する。実施例１に対して、ケース３にスナップフィット部３３と外周側の突起３４が設けられており、カバー４側に穴４３が設けられた構成となっている。本実施例でも実施例１と同様の効果を奏する。また、ケース３が穴塞ぎ用突出部３４の役割を担うので、よりコンパクトにできる。
【００１８】
[実施例３]
本発明の実施例３について図４を用いて説明する。実施例１と同様の構成については説明を省略する。本実施例では、穴塞ぎ用突出部４２にも、ケース３に形成されたスナップフィット嵌合用穴３２に嵌合するように、嵌合用突起４５が設けられている。
【００１９】
本実施例では、穴塞ぎ用突出部４２とスナップフィット嵌合用穴３２とがスナップフィットにより固定されており、より水がケース内に進入することを抑制可能となる。
【００２０】
［実施例４］
本発明の実施例４について図５を用いて説明する。実施例１と同様の構成については説明を省略する。本実施例は、図４の構成に対し、カバー４の外周側から嵌合する突起４２に設けられた嵌合用突起４５が内周側スナップフィット部４１に設けられた突起４４よりも低い高さで設置されている構成となっている。
【００２１】
[実施例５]
図６は本発明を示す。実施例１と同様の構成については説明を省略する。本実施例は、図３の構成に対し、ケース３に嵌合用溝３２２が設置されている。そして、穴塞ぎ用突出部４２には、溝３２２と嵌合する嵌合用突起４５が設けられている。
【符号の説明】
【００２２】
1…基板、２…コネクタ、３…ケース、３１…ケース開口部、３２…嵌合用穴、３２１…嵌合用穴、３２２…嵌合用溝、３３…スナップフィット部、３４…穴塞ぎ用突起、４…カバー、４１…スナップフィット部、４２…穴塞ぎ用突出部、４３…嵌合用穴、４４…穴嵌合用突起、４５…嵌合用突起
【図１】
2018131118.tif 000003
【図２】
2018131118.tif 000004
【図３】
2018131118.tif 000005
【図４】
2018131118.tif 000006
【図５】
2018131118.tif 000007
【図６】
2018131118.tif 000008